(57)【要約】【課題】良好な信号伝送を実現可能とする。【解決手段】複数の無線通信装置と関連する複数の無線信号ＳＧ１，ＳＧ２を同時に送信又は受信するＵＥ１００−１は、ｅＮＢ２００に対して電力差情報を送信する。複数の無線信号ＳＧ１，ＳＧ２は、周波数が異なっている。電力差情報は、複数の無線信号ＳＧ１，ＳＧ２において許容される最大電力差に関する情報である。【選択図】図６
2015023365.tif 000002
【特許請求の範囲】
【請求項１】
複数の無線通信装置と関連する複数の無線信号を同時に送信又は受信するユーザ端末であって、
前記ユーザ端末が在圏するセルを管理する基地局に対して電力差情報を送信する送信部を備え、
前記複数の無線信号は、周波数が異なっており、
前記電力差情報は、前記複数の無線信号において許容される最大電力差に関する情報であることを特徴とするユーザ端末。
【請求項２】
前記電力差情報は、前記基地局において、前記ユーザ端末に対するスケジューリングに利用されることを特徴とする請求項１に記載のユーザ端末。
【請求項３】
前記最大電力差は、前記ユーザ端末の能力に応じて定められ、
前記送信部は、前記ユーザ端末の能力情報として、前記電力差情報を前記基地局に送信することを特徴とする請求項１又は２に記載のユーザ端末。
【請求項４】
前記複数の無線信号は、前記ユーザ端末が前記複数の無線通信装置のそれぞれに送信する無線信号からなり、
前記最大電力差とは、前記複数の無線信号において許容される最大送信電力差であることを特徴とする請求項１乃至３の何れか一項に記載のユーザ端末。
【請求項５】
前記複数の無線信号は、前記ユーザ端末が前記複数の無線通信装置のそれぞれから受信する無線信号からなり、
前記最大電力差とは、前記複数の無線信号において許容される最大受信電力差であることを特徴とする請求項１乃至３の何れか一項に記載のユーザ端末。
【請求項６】
複数の無線通信装置と関連する複数の無線信号を同時に送信又は受信するユーザ端末が在圏するセルを管理する基地局であって、
前記ユーザ端末に対して電力差情報を送信する送信部を備え、
前記複数の無線信号は、周波数が異なっており、
前記電力差情報は、前記複数の無線信号において許容される最大電力差に関する情報であることを特徴とする基地局。
【請求項７】
前記電力差情報は、前記ユーザ端末において、前記最大電力差を超えたことをトリガとする通信制御に利用されることを特徴とする請求項６に記載の基地局。
【請求項８】
前記複数の無線信号は、前記ユーザ端末が前記複数の無線通信装置のそれぞれに送信する無線信号からなり、
前記最大電力差とは、前記複数の無線信号において許容される最大送信電力差であることを特徴とする請求項６又は７に記載の基地局。
【請求項９】
前記複数の無線信号は、前記ユーザ端末が前記複数の無線通信装置のそれぞれから受信する無線信号からなり、
前記最大電力差とは、前記複数の無線信号において許容される最大受信電力差であることを特徴とする請求項６又は７に記載の基地局。
【請求項１０】
複数の無線通信装置と関連する複数の無線信号を同時に送信又は受信するユーザ端末に備えられるプロセッサであって、
前記ユーザ端末が在圏するセルを管理する基地局に対して電力差情報を送信する処理を実行し、
前記複数の無線信号は、周波数が異なっており、
前記電力差情報は、前記複数の無線信号において許容される最大電力差に関する情報であることを特徴とするプロセッサ。
【発明の詳細な説明】
【技術分野】
【０００１】
本発明は、移動通信システムにおいて用いられるユーザ端末、基地局、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、端末間（Ｄｅｖｉｃｅ  ｔｏ  Ｄｅｖｉｃｅ：Ｄ２Ｄ）通信の導入が検討されている（非特許文献１参照）。Ｄ２Ｄ通信は、近接する複数のユーザ端末がネットワークを介さずに直接的な端末間通信を行う方式である。
【０００３】
また、３ＧＰＰでは、二重接続（Ｄｕａｌ  ｃｏｎｎｅｃｔｉｖｉｔｙ）の導入が検討されている（非特許文献２参照）。二重接続は、異なる基地局により管理されるセルの組み合わせである一対のセルとユーザ端末が一対の接続を確立する方式である。
【先行技術文献】
【非特許文献】
【０００４】
【非特許文献１】３ＧＰＰ技術報告書  「ＴＲ  ２２．８０３  Ｖ１２．１．０」  ２０１３年３月
【非特許文献２】３ＧＰＰ寄書  「ＲＰ−１２２０３３」  ２０１２年１２月
【発明の概要】
【発明が解決しようとする課題】
【０００５】
上述したＤ２Ｄ通信及び二重接続などにおいては、複数の無線通信装置と関連する複数の無線信号をユーザ端末が同時に送信又は受信することが想定される。ここで、当該複数の無線信号の周波数が異なっており、かつ当該複数の無線信号における電力差が小さい場合には、複数の無線信号を正常に伝送可能である。
【０００６】
しかしながら、当該複数の無線信号の周波数が異なっていても、当該複数の無線信号における電力差が大きい場合には、電力が大きい無線信号による干渉の影響により、電力が小さい無線信号の品質が劣化し、良好な信号伝送が実現困難になるという問題がある。
【０００７】
そこで、本発明は、良好な信号伝送を実現可能とするユーザ端末、基地局、及びプロセッサを提供することを目的とする。
【課題を解決するための手段】
【０００８】
第１の特徴に係るユーザ端末は、複数の無線通信装置と関連する複数の無線信号を同時に送信又は受信する。前記ユーザ端末は、前記ユーザ端末が在圏するセルを管理する基地局に対して電力差情報を送信する送信部を備える。前記複数の無線信号は、周波数が異なっている。前記電力差情報は、前記複数の無線信号において許容される最大電力差に関する情報である。
【０００９】
第２の特徴に係る基地局は、複数の無線通信装置と関連する複数の無線信号を同時に送信又は受信するユーザ端末が在圏するセルを管理する。前記基地局は、前記ユーザ端末に対して電力差情報を送信する送信部を備える。前記複数の無線信号は、周波数が異なっている。前記電力差情報は、前記複数の無線信号において許容される最大電力差に関する情報である。
【００１０】
第３の特徴に係るプロセッサは、複数の無線通信装置と関連する複数の無線信号を同時に送信又は受信するユーザ端末に備えられる。前記プロセッサは、前記ユーザ端末が在圏するセルを管理する基地局に対して電力差情報を送信する処理を実行する。前記複数の無線信号は、周波数が異なっている。前記電力差情報は、前記複数の無線信号において許容される最大電力差に関する情報である。
【発明の効果】
【００１１】
本発明によれば、良好な信号伝送を実現可能とするユーザ端末、基地局、及びプロセッサを提供できる。
【図面の簡単な説明】
【００１２】
【図１】第１実施形態乃至第３実施形態に係るＬＴＥシステムの構成図である。
【図２】第１実施形態乃至第３実施形態に係るＵＥのブロック図である。
【図３】第１実施形態乃至第３実施形態に係るｅＮＢのブロック図である。
【図４】第１実施形態乃至第３実施形態に係る無線インターフェイスのプロトコルスタック図である。
【図５】第１実施形態乃至第３実施形態に係る無線フレームの構成図である。
【図６】第１実施形態に係る動作環境を説明するための図である。
【図７】第１実施形態に係る動作環境において生じる問題を説明するための図である。
【図８】第１実施形態に係る動作環境において生じる問題を説明するための図である。
【図９】第１実施形態に係る動作環境において生じる問題を説明するための図である。
【図１０】第１実施形態に係る動作概要を説明するための図である。
【図１１】第１実施形態に係る動作概要を説明するための図である。
【図１２】第１実施形態に係る動作パターン１のシーケンス図である。
【図１３】第１実施形態に係る動作パターン２のシーケンス図である。
【図１４】第２実施形態に係る動作概要を説明するための図である。
【図１５】第２実施形態に係る動作シーケンス図である。
【図１６】第３実施形態に係る動作環境を説明するための図である。
【図１７】第３実施形態に係る動作シーケンス図である。
【図１８】第１実施形態乃至第３実施形態の変更例１を説明するための図である。
【図１９】第１実施形態乃至第３実施形態の変更例２を説明するための図である。
【発明を実施するための形態】
【００１３】
［実施形態の概要］
第１実施形態に係るユーザ端末は、複数の無線通信装置と関連する複数の無線信号を同時に送信又は受信する。前記ユーザ端末は、前記ユーザ端末が在圏するセルを管理する基地局に対して電力差情報を送信する送信部を備える。前記複数の無線信号は、周波数が異なっている。前記電力差情報は、前記複数の無線信号において許容される最大電力差に関する情報である。
【００１４】
第１実施形態では、前記電力差情報は、前記基地局において、前記ユーザ端末に対するスケジューリングに利用される。
【００１５】
第１実施形態では、前記最大電力差は、前記ユーザ端末の能力に応じて定められる。前記送信部は、前記ユーザ端末の能力情報として、前記電力差情報を前記基地局に送信する。
【００１６】
第１実施形態では、前記複数の無線信号は、前記ユーザ端末が前記複数の無線通信装置のそれぞれに送信する無線信号からなる。前記最大電力差とは、前記複数の無線信号において許容される最大送信電力差である。
【００１７】
第１実施形態では、前記複数の無線信号は、前記ユーザ端末が前記複数の無線通信装置のそれぞれから受信する無線信号からなる。前記最大電力差とは、前記複数の無線信号において許容される最大受信電力差である。
【００１８】
第２実施形態及び第３実施形態に係る基地局は、複数の無線通信装置と関連する複数の無線信号を同時に送信又は受信するユーザ端末が在圏するセルを管理する。前記基地局は、前記ユーザ端末に対して電力差情報を送信する送信部を備える。前記複数の無線信号は、周波数が異なっている。前記電力差情報は、前記複数の無線信号において許容される最大電力差に関する情報である。
【００１９】
第２実施形態及び第３実施形態では、前記電力差情報は、前記ユーザ端末において、前記最大電力差を超えたことをトリガとする通信制御に利用される。
【００２０】
第２実施形態では、前記複数の無線信号は、前記ユーザ端末が前記複数の無線通信装置のそれぞれに送信する無線信号からなる。前記最大電力差とは、前記複数の無線信号において許容される最大送信電力差である。
【００２１】
第３実施形態では、前記複数の無線信号は、前記ユーザ端末が前記複数の無線通信装置のそれぞれから受信する無線信号からなる。前記最大電力差とは、前記複数の無線信号において許容される最大受信電力差である。
【００２２】
第１実施形態に係るプロセッサは、複数の無線通信装置と関連する複数の無線信号を同時に送信又は受信するユーザ端末に備えられる。前記プロセッサは、前記ユーザ端末が在圏するセルを管理する基地局に対して電力差情報を送信する処理を実行する。前記複数の無線信号は、周波数が異なっている。前記電力差情報は、前記複数の無線信号において許容される最大電力差に関する情報である。
【００２３】
［第１実施形態］
以下において、本発明をＬＴＥシステムに適用する場合の実施形態を説明する。
【００２４】
（システム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２５】
ＵＥ１００は、ユーザ端末に相当する。ＵＥ１００は、移動型の通信装置であり、接続先のセル（サービングセル）との無線通信を行う。ＵＥ１００の構成については後述する。
【００２６】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２７】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２８】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２９】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３０】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００３１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３２】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３３】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。
【００３４】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００３５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３６】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３７】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３９】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロック、及び送信電力を決定（スケジューリング）するケジューラを含む。
【００４０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４１】
ＰＤＣＰ層は、ヘッダ圧縮・伸張、及び暗号化・復号化を行う。
【００４２】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４３】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４４】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４５】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００４６】
ＵＥ１００に割り当てられる無線リソースのうち、周波数リソースはリソースブロックにより構成され、時間リソースはサブフレーム（又はスロット）により構成される。
【００４７】
ＤＬにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００４８】
ＵＬにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００４９】
（Ｄ２Ｄ通信）
第１実施形態に係るＬＴＥシステムは、直接的な端末間通信（ＵＥ間通信）であるＤ２Ｄ通信をサポートする。ここでは、Ｄ２Ｄ通信を、ＬＴＥシステムの通常の通信であるセルラ通信と比較して説明する。
【００５０】
セルラ通信は、データパスがネットワーク（Ｅ−ＵＴＲＡＮ１０、ＥＰＣ２０）を経由する通信モードである。データパスとは、ユーザデータの通信経路である。これに対し、Ｄ２Ｄ通信は、ＵＥ間に設定されるデータパスがネットワークを経由しない通信モードである。相互に近接する複数のＵＥ１００は、ｅＮＢ２００のセルにおいて、低送信電力で直接的に無線通信を行う。このように、近接する複数のＵＥ１００が低送信電力で直接的に無線通信を行うことにより、セルラ通信と比べて、ＵＥ１００の消費電力を削減し、かつ、隣接セルへの干渉を低減できる。
【００５１】
（第１実施形態に係る動作）
次に、第１実施形態に係る動作について説明する。
【００５２】
（１）動作概要
Ｄ２Ｄ通信をサポートするＬＴＥシステムにおいては、複数の無線通信装置と関連する複数の無線信号をＵＥ１００が同時に送信又は受信することが想定される。図６は、第１実施形態に係る動作環境を説明するための図である。図７乃至図９は、第１実施形態に係る動作環境において生じる問題を説明するための図である。
【００５３】
図６に示すように、ｅＮＢ２００が管理するセル（以下、単に「ｅＮＢ２００のセル」という。）にＵＥ１００−１及びＵＥ１００−２が在圏している。ＵＥ１００−１は、ｅＮＢ２００の制御下で、ｅＮＢ２００とのセルラ通信を行うとともに、ＵＥ１００−２とのＤ２Ｄ通信を行う。
【００５４】
ＵＥ１００−１は、セルラ通信における無線信号ＳＧ１をｅＮＢ２００に送信する。ＵＥ１００−１は、Ｄ２Ｄ通信における無線信号ＳＧ２をＵＥ１００−２に送信する。ＵＥ１００−１は、無線信号ＳＧ１及び無線信号ＳＧ２を同時に送信する。ＵＥ１００−２は、無線信号ＳＧ２を受信するが、その際に無線信号ＳＧ１も受信してしまう。無線信号ＳＧ１及び無線信号ＳＧ２は、周波数が異なっている。
【００５５】
図６に示す動作環境では、ＵＥ１００−１は、ｅＮＢ２００から遠方に位置する。また、ＵＥ１００−１は、Ｄ２Ｄ通信の通信相手であるＵＥ１００−２の近傍に位置する。よって、ＵＥ１００−１は、高い送信電力で無線信号ＳＧ１を送信する。これに対し、ＵＥ１００−１は、低い送信電力で無線信号ＳＧ２を送信する。その結果、ＵＥ１００−２は、高い受信電力で無線信号ＳＧ１を受信し、低い受信電力で無線信号ＳＧ２を受信する。
【００５６】
図７に示すように、無線信号ＳＧ１及び無線信号ＳＧ２における電力差が大きい場合に、電力が大きい無線信号ＳＧ１による干渉の影響により、電力が小さい無線信号ＳＧ２の信号雑音比（ＳＮＲ）が劣化し、正常な信号伝送が困難になり得る。
【００５７】
具体的には、図８に示すように、送信側のＵＥ１００−１において、無線信号ＳＧ１の送信歪みにより、無線信号ＳＧ１の漏洩電力によるノイズが無線信号ＳＧ２に混入し、ＵＥ１００−２において無線信号ＳＧ２のＳＮＲが劣化することがある。或いは、図９に示すように、ＵＥ１００−１においてノイズが無線信号ＳＧ２に混入しない場合であっても、ＵＥ１００−２において、無線信号ＳＧ１による受信歪み（受信ブロッキング及びＩＭ応答）により、無線信号ＳＧ２のＳＮＲが劣化することがある。
【００５８】
このようなＳＮＲの劣化に対する耐性は、ＵＥ１００−１及びＵＥ１００−２のそれぞれの能力に依存する。ＵＥ１００−１の無線送受信機１１０における送信回路の性能が高ければ、漏洩電力を抑制し、所要のＳＮＲをみたすことができる。また、ＵＥ１００−２の無線送受信機１１０における受信回路の性能が高ければ、受信歪みを抑制し、所要のＳＮＲを満たすことができる。
【００５９】
図１０及び図１１は、第１実施形態に係る動作概要を説明するための図である。図１０に示すように、所要のＳＮＲを得るために許容される最大電力差β１は、ＵＥ１００の能力に応じて異なる。最大電力差β１は、最大送信電力差β１−ＴＸ及び最大受信電力差β１−ＲＸを含む。
【００６０】
ＵＥ１００−１は、無線信号ＳＧ１及び無線信号ＳＧ２の送信電力差が最大送信電力差β１−ＴＸの範囲内であれば、所要のＳＮＲを満たすことができる。ＵＥ１００−２は、無線信号ＳＧ１及び無線信号ＳＧ２の受信電力差が最大受信電力差β１−ＲＸの範囲内であれば、所要のＳＮＲを満たすことができる。
【００６１】
図１１に示すように、第１実施形態では、ＵＥ１００は、ＵＥ１００の能力に応じた最大電力差β１に関する電力差情報をｅＮＢ２００に送信する。ＵＥ１００は、ＵＥ１００の能力情報（ＵＥ  Ｃａｐａｂｉｌｉｔｙ）として、最大電力差β１に関する電力差情報をｅＮＢ２００に送信してもよい。能力情報（ＵＥ  Ｃａｐａｂｉｌｉｔｙ）は、ＲＲＣメッセージの一種である。
【００６２】
電力差情報は、最大電力差β１の値そのものであってもよく、最大電力差β１のクラスに対応するインデックスであってもよい。また、電力差情報は、最大送信電力差β１−ＴＸを示す情報、及び最大受信電力差β１−ＲＸを示す情報のうち、両方であってもよく、何れか一方のみであってよい。最大送信電力差β１−ＴＸは、例えば、規定された変調精度（ＥＶＭ）を満足する２信号の電力差の上限値である。最大受信電力差β１−ＲＸは、例えば、規定された受信感度（例えばＢＥＲ）を満足する２信号の電力差の上限値である。
【００６３】
上述した動作環境において、無線信号ＳＧ１及び無線信号ＳＧ２を同時に送信するＵＥ１００−１は、ＵＥ１００−１の能力に応じた最大電力差β１に関する電力差情報をｅＮＢ２００に送信する。また、無線信号ＳＧ１及び無線信号ＳＧ２を同時に受信するＵＥ１００−２は、ＵＥ１００−２の能力に応じた最大電力差β１に関する電力差情報をｅＮＢ２００に送信する。
【００６４】
電力差情報を受信したｅＮＢ２００は、ＵＥ１００−１及びＵＥ１００−２のそれぞれの最大電力差β１を把握して、最大電力差β１を考慮した通信制御を行う。例えば、ｅＮＢ２００は、無線信号ＳＧ１及び無線信号ＳＧ２の電力差が最大電力差β１を超えないように、ＵＥ１００−１（及びＵＥ１００−２）に対するスケジューリングを行う。
【００６５】
（２）動作シーケンス
次に、第１実施形態に係る動作シーケンスについて説明する。
【００６６】
（２．１）動作パターン１
図１２は、第１実施形態に係る動作パターン１のシーケンス図である。
【００６７】
図１２に示すように、ステップＳ１０１において、ＵＥ１００−１は、ＵＥ１００−１の能力に応じた最大電力差β１に関する電力差情報をｅＮＢ２００に送信する。ステップＳ１０２において、ＵＥ１００−２は、ＵＥ１００−２の能力に応じた最大電力差β１に関する電力差情報をｅＮＢ２００に送信する。
【００６８】
ステップＳ１０３において、ＵＥ１００−１は、セルラ通信を行うために、ｅＮＢ２００とのＲＲＣ接続を確立する。ステップＳ１０４において、ＵＥ１００−１は、Ｄ２Ｄ通信を行うために、ＵＥ１００−２とのＤ２Ｄ接続を確立する。
【００６９】
なお、ステップＳ１０１は、ステップＳ１０３以降に行われてもよい。ステップＳ１０２は、ステップＳ１０４以降に行われてもよい。また、ＵＥ１００−１及びＵＥ１００−２は、ｅＮＢ２００からの要求に応じて、電力差情報をｅＮＢ２００に送信してもよい。
【００７０】
ステップＳ１０５において、電力差情報を受信したｅＮＢ２００は、セルラ通信及びＤ２Ｄ通信のスケジューリングを行う。ｅＮＢ２００は、ＵＥ１００−１に割り当てるセルラ通信用の無線リソース（リソースブロックＲＢ１）と、その無線リソースにおけるＵＥ１００−１の送信電力ＴＸ−ＰＯＷＲＢ１と、を決定する。また、ｅＮＢ２００は、ＵＥ１００−１に割り当てるＤ２Ｄ通信用の無線リソース（リソースブロックＲＢ２）と、その無線リソースにおけるＵＥ１００−１の送信電力ＴＸ−ＰＯＷＲＢ２と、を決定する。
【００７１】
ステップＳ１０６において、ｅＮＢ２００は、電力差情報に基づいて、送信電力ＴＸ−ＰＯＷＲＢ１と送信電力ＴＸ−ＰＯＷＲＢ２との間の差分（送信電力差）が、ＵＥ１００−１（及びＵＥ１００−２）に対応する最大電力差β１未満であるか否かを確認する。例えば、ｅＮＢ２００は、送信電力差がＵＥ１００−１に対応する最大送信電力差β１−ＴＸ未満であるか否かを確認する。また、ｅＮＢ２００は、送信電力差がＵＥ１００−２に対応する最大受信電力差β１−ＲＸ未満であるか否かを確認する。
【００７２】
送信電力差が最大電力差β１以上である場合（ステップＳ１０６：ＮＯ）、ステップＳ１０５において、ｅＮＢ２００は、再スケジューリングを行う。ｅＮＢ２００は、再スケジューリングを行っても、送信電力差が最大電力差β１以上である場合には、ＵＥ１００−１が無線信号ＳＧ１及び無線信号ＳＧ２を同時に送信しないようにスケジューリングしてもよい。
【００７３】
これに対し、送信電力差が最大電力差β１未満である場合（ステップＳ１０６：ＹＥＳ）、ステップＳ１０７において、ｅＮＢ２００は、ステップＳ１０５で決定したスケジューリング情報（割り当てリソースブロック及び送信電力を含む）をＵＥ１００−１（及びＵＥ１００−２）に送信する。
【００７４】
ステップＳ１０８において、スケジューリング情報を受信したＵＥ１００−１は、スケジューリング情報に従って、無線信号ＳＧ１をｅＮＢ２００に送信するとともに、無線信号ＳＧ２をＵＥ１００−２に送信する。
【００７５】
なお、ＵＥ１００−１は、無線信号ＳＧ１と無線信号ＳＧ２との間の送信電力差が、ＵＥ１００−１の能力に応じた最大電力差β１（最大送信電力差β１−ＴＸ）を超える場合に、その旨をｅＮＢ２００に報告してもよい。また、ＵＥ１００−２は、無線信号ＳＧ１と無線信号ＳＧ２との間の受信電力差が、ＵＥ１００−２の能力に応じた最大電力差β１（最大受信電力差β１−ＲＸ）を超える場合に、その旨をｅＮＢ２００に報告してもよい。このような動作については、第３実施形態で説明する。
【００７６】
（２．２）動作パターン２
図１３は、第１実施形態に係る動作パターン２のシーケンス図である。ここでは、動作パターン１との相違点について説明する。
【００７７】
図１３に示すように、ステップＳ１０１乃至ステップＳ１０８の手順は、動作パターン１と同様である。
【００７８】
ステップＳ１０８において、スケジューリング情報を受信したＵＥ１００−１は、スケジューリング情報に従って、無線信号ＳＧ１をｅＮＢ２００に送信するとともに、無線信号ＳＧ２をＵＥ１００−２に送信する。
【００７９】
ステップＳ１０９において、無線信号ＳＧ１を受信したｅＮＢ２００は、無線信号ＳＧ１の復号に成功したか否かを示す応答信号（Ａｃｋ／Ｎａｃｋ）をＵＥ１００−１に送信する。
【００８０】
ステップＳ１１０において、無線信号ＳＧ２を受信したＵＥ１００−２は、無線信号ＳＧ２の復号に成功したか否かを示す応答信号（Ａｃｋ／Ｎａｃｋ）をＵＥ１００−１に送信する。
【００８１】
ステップＳ１１１において、ＵＥ１００−１は、ｅＮＢ２００及びＵＥ１００−２のそれぞれから受信した応答信号（Ａｃｋ／Ｎａｃｋ）に基づいて、無線信号ＳＧ１及び無線信号ＳＧ２の送信に成功したか否かを示す報告（Ａｃｋ／Ｎａｃｋ）をｅＮＢ２００に送信する。ＵＥ１００−１は、ｅＮＢ２００及びＵＥ１００−２の少なくとも一方からＮａｃｋを受信した場合、ＮａｃｋをｅＮＢ２００に送信する。これに対し、ＵＥ１００−１は、ｅＮＢ２００及びＵＥ１００−２の両方からＡｃｋを受信した場合、ＡｃｋをｅＮＢ２００に送信する。
【００８２】
これにより、ｅＮＢ２００は、現在設定されている最大電力差β１が適切であるか否かを判断できる。ｅＮＢ２００は、Ｎａｃｋの受信に応じて、設定されている最大電力差β１を修正してもよい。或いは、ｅＮＢ２００は、ＵＥ１００−１にＮａｃｋを送信することに代えて、設定されている最大電力差β１を修正してもよい。
【００８３】
（第１実施形態のまとめ）
上述したように、無線信号ＳＧ１及び無線信号ＳＧ２を同時に送信するＵＥ１００−１は、ｅＮＢ２００に対して、ＵＥ１００−１の能力に応じた最大電力差β１に関する電力差情報を送信する。また、無線信号ＳＧ１及び無線信号ＳＧ２を同時に受信するＵＥ１００−２は、ｅＮＢ２００に対して、ＵＥ１００−２の能力に応じた最大電力差β１に関する電力差情報を送信する。
【００８４】
これにより、電力差情報を受信したｅＮＢ２００は、ＵＥ１００−１及びＵＥ１００−２のそれぞれの最大電力差β１を把握して、最大電力差β１を考慮したスケジューリングを行うことができる。例えば、ｅＮＢ２００は、無線信号ＳＧ１及び無線信号ＳＧ２の電力差が最大電力差β１を超えないように、ＵＥ１００−１及びＵＥ１００−２に対するスケジューリングを行うことができる。
【００８５】
［第２実施形態］
第２実施形態について、第１実施形態との相違点を主として説明する。第２実施形態は、システム構成及び動作環境については、第１実施形態と同様である。
【００８６】
（第２実施形態に係る動作）
（１）動作概要
図１４は、第２実施形態に係る動作概要を説明するための図である。
【００８７】
図１４に示すように、ｅＮＢ２００は、無線信号ＳＧ１及び無線信号ＳＧ２を同時に送信するＵＥ１００に対して、無線信号ＳＧ１及び無線信号ＳＧ２において許容される最大電力差β２に関する電力差情報を送信する。電力差情報は、ＵＥ１００において、最大電力差β２を超えたことをトリガとする通信制御に利用される。
【００８８】
第２実施形態では、最大電力差β２は、最大送信電力差β２−ＴＸである。最大電力差β２を超えたことをトリガとする通信制御とは、無線信号ＳＧ１及び無線信号ＳＧ２の送信電力差が最大送信電力差β２−ＴＸを超えた際に無線信号ＳＧ１及び無線信号ＳＧ２の何れかの送信を中止する制御である。
【００８９】
ｅＮＢ２００は、自セル内で共通の最大送信電力差β２−ＴＸを、自セル内の全ＵＥ１００に共通に適用される報知制御信号によりＵＥ１００に送信する。報知制御信号は、例えばシステム情報ブロック（ＳＩＢ）である。
【００９０】
ｅＮＢ２００は、複数種類の最大送信電力差β２−ＴＸを報知制御信号により送信してもよい。そして、ｅＮＢ２００は、ＵＥ１００個別に適用される個別制御信号により、複数種類の最大送信電力差β２−ＴＸのうち何れかをＵＥ１００個別に指定してもよい。個別制御信号は、例えばＲＲＣメッセージである。
【００９１】
或いは、ｅＮＢ２００は、ＵＥ１００個別の最大送信電力差β２−ＴＸを、個別制御信号によりＵＥ１００に送信してもよい。この場合、ｅＮＢ２００は、ＵＥ１００からの要求に応じて、電力差情報をＵＥ１００に送信してもよい。
【００９２】
電力差情報は、最大送信電力差β２−ＴＸの値そのものであってもよく、最大送信電力差β２−ＴＸのクラスに対応するインデックスであってもよい。
【００９３】
（２）動作シーケンス
図１５は、第２実施形態に係る動作シーケンス図である。ここでは、セルラ通信のスケジューリングをｅＮＢ２００が行い、Ｄ２Ｄ通信のスケジューリングをＵＥ１００−２が行うケースを想定する。
【００９４】
図１５に示すように、ステップＳ２０１において、ｅＮＢ２００は、通信モード（セルラ通信、Ｄ２Ｄ通信）の優先度を示す優先度情報をＵＥ１００−１に送信する。ここでは、Ｄ２Ｄ通信よりもセルラ通信が優先されると仮定して、説明を進める。
【００９５】
ステップＳ２０２において、ｅＮＢ２００は、最大送信電力差β２−ＴＸに関する電力差情報をＵＥ１００−１に送信する。ステップＳ２０２は、ステップＳ２０１と同時に行われてもよい。
【００９６】
ステップＳ２０３において、ＵＥ１００−１は、セルラ通信を行うために、ｅＮＢ２００とのＲＲＣ接続を確立する。ステップＳ２０４において、ＵＥ１００−１は、Ｄ２Ｄ通信を行うために、ＵＥ１００−２とのＤ２Ｄ接続を確立する。ステップＳ２０３及び／又はステップＳ２０４は、ステップＳ２０１及びステップＳ２０２の前に行われてもよい。
【００９７】
ステップＳ２０５において、ｅＮＢ２００は、セルラ通信のスケジューリングを行う。ｅＮＢ２００は、ＵＥ１００−１に割り当てるセルラ通信用の無線リソース（リソースブロックＲＢ１）と、その無線リソースにおけるＵＥ１００−１の送信電力ＴＸ−ＰＯＷＣｅｌｌｕｌａｒと、を決定する。
【００９８】
ステップＳ２０６において、ＵＥ１００−２は、Ｄ２Ｄ通信のスケジューリングを行う。ｅＮＢ２００は、ＵＥ１００−１に割り当てるＤ２Ｄ通信用の無線リソース（リソースブロックＲＢ２）と、その無線リソースにおけるＵＥ１００−１の送信電力ＴＸ−ＰＯＷＤ２Ｄと、を決定する。
【００９９】
ステップＳ２０７において、ｅＮＢ２００は、ステップＳ２０５で決定したスケジューリング情報（割り当てリソースブロックＲＢ１及び送信電力ＴＸ−ＰＯＷＣｅｌｌｕｌａｒを含む）をＵＥ１００−１に送信する。
【０１００】
ステップＳ２０８において、ＵＥ１００−２は、ステップＳ２０６で決定したスケジューリング情報（割り当てリソースブロックＲＢ２及び送信電力ＴＸ−ＰＯＷＤ２Ｄを含む）をＵＥ１００−１に送信する。
【０１０１】
ステップＳ２０９において、ＵＥ１００−１は、受信したスケジューリング情報に基づいて、送信電力ＴＸ−ＰＯＷＣｅｌｌｕｌａｒと送信電力ＴＸ−ＰＯＷＤ２Ｄとの間の差分（送信電力差）が、ステップＳ２０２でｅＮＢ２００から受信した電力差情報が示す最大送信電力差β２−ＴＸを超えるか否かを確認する。
【０１０２】
送信電力差が最大送信電力差β２−ＴＸ以下である場合（ステップＳ２０９：ＮＯ）、ＵＥ１００−１は、スケジューリング情報に従って、無線信号ＳＧ１をｅＮＢ２００に送信するとともに、無線信号ＳＧ２をＵＥ１００−２に送信する。
【０１０３】
これに対し、送信電力差が最大送信電力差β２−ＴＸを超える場合（ステップＳ２０９：ＹＥＳ）、ステップＳ２１０において、ＵＥ１００−１は、ステップＳ２０１で受信した優先度情報に従って、セルラ通信及びＤ２Ｄ通信の何れかを選択する。ここでは、ＵＥ１００−１がセルラ通信を選択したと仮定して、説明を進める。
【０１０４】
ステップＳ２１１において、ＵＥ１００−１は、ｅＮＢ２００からのスケジューリング情報に従って、無線信号ＳＧ１をｅＮＢ２００に送信するとともに、ＵＥ１００−２に対する無線信号ＳＧ２の送信を中止する。
【０１０５】
なお、ｅＮＢ２００からのポリシー設定（ステップＳ２０１）を省略して、ＵＥ１００−１がセルラ通信及びＤ２Ｄ通信の何れか一方を選択してもよい。この場合、Ｄ２Ｄ通信がパブリックセーフィティ用途であるか否か、セルラ通信及びＤ２Ｄ通信それぞれのＱｏＳに基づいて選択を行ってもよい。
【０１０６】
ＵＥ１００−１は、最大送信電力差β２−ＴＸを超えたことをｅＮＢ２００及び／又はＵＥ１００−２に報告してもよい。報告を受けたｅＮＢ２００及び／又はＵＥ１００−２は、最大送信電力差β２−ＴＸを超えないようにスケジューリングを行ってもよい。このような動作については、第３実施形態で説明する。
【０１０７】
（第２実施形態のまとめ）
上述したように、ｅＮＢ２００は、複数の無線信号ＳＧ１及びＳＧ２を同時に送信するＵＥ１００−１に対して、複数の無線信号ＳＧ１及びＳＧ２において許容される最大送信電力差β２−ＴＸに関する電力差情報を送信する。
【０１０８】
最大送信電力差β２−ＴＸをｅＮＢ２００が指定することにより、ＵＥ１００−１において最大送信電力差β２−ＴＸを考慮した送信制御が可能になる。例えば、ＵＥ１００−１は、無線信号ＳＧ１及び無線信号ＳＧ２の送信電力差が最大送信電力差β２−ＴＸを超えないように送信判断を行うことができる。
【０１０９】
［第３実施形態］
第３実施形態について、第１実施形態及び第２実施形態との相違点を主として説明する。第２実施形態は、システム構成については、第１実施形態及び第２実施形態と同様である。
【０１１０】
（第３実施形態に係る動作）
（１）動作概要
図１６は、第３実施形態に係る動作環境を説明するための図である。
【０１１１】
図１６に示すように、ｅＮＢ２００のセルにＵＥ１００−１乃至ＵＥ１００−３が在圏している。ＵＥ１００−１は、ｅＮＢ２００の制御下で、Ｕ１００−２とのＤ２Ｄ通信を行う。ＵＥ１００−３は、ｅＮＢ２００の制御下で、ｅＮＢ２００とのセルラ通信を行う。
【０１１２】
ＵＥ１００−３は、セルラ通信における無線信号ＳＧ１をｅＮＢ２００に送信する。ＵＥ１００−２は、Ｄ２Ｄ通信における無線信号ＳＧ２をＵＥ１００−１に送信する。無線信号ＳＧ１及び無線信号ＳＧ２は、周波数が異なっている。
【０１１３】
図１６に示す動作環境では、ＵＥ１００−３は、ｅＮＢ２００から遠方に位置しつつ、ＵＥ１００−１の近傍に位置する。ＵＥ１００−３は、高い送信電力で無線信号ＳＧ１を送信する。
【０１１４】
ＵＥ１００−２は、Ｄ２Ｄ通信の通信相手であるＵＥ１００−１の近傍に位置する。ＵＥ１００−２は、低い送信電力で無線信号ＳＧ２を送信する。その結果、ＵＥ１００−１は、高い受信電力で無線信号ＳＧ１を受信し、低い受信電力で無線信号ＳＧ２を受信する。
【０１１５】
第１実施形態と同様に、無線信号ＳＧ１及び無線信号ＳＧ２における電力差が大きい場合には、電力が大きい無線信号ＳＧ１による干渉の影響により、電力が小さい無線信号ＳＧ２のＳＮＲが劣化し、正常な信号伝送が困難になり得る。
【０１１６】
第３実施形態に係るｅＮＢ２００は、複数の無線通信装置と関連する複数の無線信号ＳＧ１及びＳＧ２を同時に受信するＵＥ１００に対して、複数の無線信号ＳＧ１及びＳＧ２において許容される最大電力差β２に関する電力差情報を送信する。電力差情報は、ＵＥ１００において、最大電力差β２を超えたことをトリガとする通信制御に利用される。
【０１１７】
第３実施形態では、最大電力差β２は、最大受信電力差β２−ＲＸである。最大電力差β２を超えたことをトリガとする通信制御とは、無線信号ＳＧ１及び無線信号ＳＧ２の受信電力差が最大受信電力差β２−ＲＸを超えた際にｅＮＢ２００に対して報告を行う制御である。
【０１１８】
ｅＮＢ２００は、自セル内で共通の最大受信電力差β２−ＲＸを、報知制御信号によりＵＥ１００に送信する。報知制御信号は、例えばシステム情報ブロック（ＳＩＢ）である。ｅＮＢ２００は、複数種類の最大受信電力差β２−ＲＸを報知制御信号により送信してもよい。そして、ｅＮＢ２００は、個別制御信号により、複数種類の最大受信電力差β２−ＲＸのうち何れかをＵＥ１００個別に指定してもよい。個別制御信号は、例えばＲＲＣメッセージである。
【０１１９】
或いは、ｅＮＢ２００は、ＵＥ１００個別の最大受信電力差β２−ＲＸを、個別制御信号によりＵＥ１００に送信してもよい。この場合、ｅＮＢ２００は、ＵＥ１００からの要求に応じて、電力差情報をＵＥ１００に送信してもよい。
【０１２０】
電力差情報は、最大受信電力差β２−ＲＸの値そのものであってもよく、最大受信電力差β２−ＲＸのクラスに対応するインデックスであってもよい。
【０１２１】
（２）動作シーケンス
図１７は、第３実施形態に係る動作シーケンス図である。ここでは、セルラ通信及びＤ２Ｄ通信のスケジューリングをｅＮＢ２００が行うケースを想定する。
【０１２２】
図１７に示すように、ステップＳ３０１において、ｅＮＢ２００は、最大受信電力差β２−ＲＸに関する電力差情報をＵＥ１００−１に送信する。
【０１２３】
ステップＳ３０２において、ＵＥ１００−３は、セルラ通信を行うために、ｅＮＢ２００とのＲＲＣ接続を確立する。ステップＳ３０３において、ＵＥ１００−１は、Ｄ２Ｄ通信を行うために、ＵＥ１００−２とのＤ２Ｄ接続を確立する。ステップＳ３０２及び／又はステップＳ３０３は、ステップＳ３０１の前に行われてもよい。
【０１２４】
ステップＳ３０４において、ｅＮＢ２００は、セルラ通信及びＤ２Ｄ通信のスケジューリングを行う。ｅＮＢ２００は、ＵＥ１００−３に割り当てるセルラ通信用の無線リソース（リソースブロックＲＢ１）と、その無線リソースにおけるＵＥ１００−３の送信電力ＴＸ−ＰＯＷＣｅｌｌｕｌａｒと、を決定する。ｅＮＢ２００は、ＵＥ１００−１及びＵＥ１００−２に割り当てるＤ２Ｄ通信用の無線リソース（リソースブロックＲＢ２）と、その無線リソースにおけるＵＥ１００−１の送信電力ＴＸ−ＰＯＷＤ２Ｄと、を決定する。
【０１２５】
ステップＳ３０５において、ｅＮＢ２００は、スケジューリング情報（割り当てリソースブロックＲＢ１及び送信電力ＴＸ−ＰＯＷＣｅｌｌｕｌａｒを含む）をＵＥ１００−３に送信する。
【０１２６】
ステップＳ３０６において、ｅＮＢ２００は、スケジューリング情報（割り当てリソースブロックＲＢ２及び送信電力ＴＸ−ＰＯＷＤ２Ｄを含む）をＵＥ１００−１及びＵＥ１００−２に送信する。
【０１２７】
ステップＳ３０７において、ＵＥ１００−３は、スケジューリング情報に従って、無線信号ＳＧ１をｅＮＢ２００に送信する。無線信号ＳＧ１は、ｅＮＢ２００において受信されるとともに、ＵＥ１００−１において受信される。
【０１２８】
ステップＳ３０８において、ＵＥ１００−２は、スケジューリング情報に従って、無線信号ＳＧ２をＵＥ１００−１に送信する。
【０１２９】
ステップＳ３０９において、無線信号ＳＧ１及び無線信号ＳＧ２を同時に受信したＵＥ１００−１は、干渉信号である無線信号ＳＧ１を検出する。
【０１３０】
ステップＳ３１０において、ＵＥ１００−１は、無線信号ＳＧ１の受信電力ＲＸ−ＰＯＷＣｅｌｌｕｌａｒと無線信号ＳＧ２の受信電力ＲＸ−ＰＯＷＤ２Ｄとの間の差分（受信電力差）が、ステップＳ３０１でｅＮＢ２００から受信した電力差情報が示す最大受信電力差β２−ＲＸを超えるか否かを確認する。
【０１３１】
受信電力差が最大受信電力差β２−ＲＸを超える場合（ステップＳ３１０：ＹＥＳ）、ステップＳ３１１において、ＵＥ１００−１は、ｅＮＢ２００への報告（Ｉｎｄｉｃａｔｉｏｎ）を生成する。報告（Ｉｎｄｉｃａｔｉｏｎ）は、リソースブロックごとに被干渉の有無を示す情報（ビットマップ又はリソースブロック番号など）である。報告（Ｉｎｄｉｃａｔｉｏｎ）は、干渉信号に関する情報（セルラ通信であるかＤ２Ｄ通信であるかを示す情報、干渉源ＵＥの識別子など）を含んでもよい。
【０１３２】
ステップＳ３１２において、ＵＥ１００−１は、ステップＳ３１１で生成した報告（Ｉｎｄｉｃａｔｉｏｎ）をｅＮＢ２００に送信する。
【０１３３】
ステップＳ３１３において、ｅＮＢ２００は、受信した報告（Ｉｎｄｉｃａｔｉｏｎ）に基づいて、干渉源ＵＥ（ＵＥ１００−３）を判別する。ｅＮＢ２００は、報告（Ｉｎｄｉｃａｔｉｏｎ）に対応する被干渉リソースブロックとリソースブロックの割り当て履歴とに基づいて干渉源ＵＥ（ＵＥ１００−３）を判別する。或いは、報告（Ｉｎｄｉｃａｔｉｏｎ）に干渉源ＵＥの識別子が含まれていれば、当該識別子に基づいて干渉源ＵＥ（ＵＥ１００−３）を判別してもよい。
【０１３４】
ステップＳ３１４において、ｅＮＢ２００は、ＵＥ１００−３からＵＥ１００−１への干渉を抑圧するようにスケジューリングを行う。ｅＮＢ２００は、ＵＥ１００−３の送信電力を下げる、又はＵＥ１００−２の送信電力を上げるようにスケジューリングを行う。或いは、ｅＮＢ２００は、ＵＥ１００−３及びＵＥ１００−２で送信タイミングを異ならせるようにスケジューリングを行う。
【０１３５】
ステップＳ３１５において、ｅＮＢ２００は、スケジューリング情報（割り当てリソースブロックＲＢ１及び送信電力ＴＸ−ＰＯＷＣｅｌｌｕｌａｒを含む）をＵＥ１００−３に送信する。ステップＳ３１６において、ｅＮＢ２００は、スケジューリング情報（割り当てリソースブロックＲＢ２及び送信電力ＴＸ−ＰＯＷＤ２Ｄを含む）をＵＥ１００−１及びＵＥ１００−２に送信する。
【０１３６】
ステップＳ３１７において、ＵＥ１００−３は、スケジューリング情報に従って、無線信号ＳＧ１をｅＮＢ２００に送信する。ステップＳ３１８において、ＵＥ１００−２は、スケジューリング情報に従って、無線信号ＳＧ２をＵＥ１００−１に送信する。
【０１３７】
（第３実施形態のまとめ）
上述したように、ｅＮＢ２００は、複数の無線通信装置と関連する複数の無線信号ＳＧ１及びＳＧ２を同時に受信するＵＥ１００に対して、複数の無線信号ＳＧ１及びＳＧ２において許容される最大受信電力差β２−ＲＸに関する電力差情報を送信する。
【０１３８】
最大受信電力差β２−ＲＸをｅＮＢ２００が指定することにより、ＵＥ１００は、無線信号ＳＧ１及び無線信号ＳＧ２の受信電力差が最大受信電力差β２−ＲＸを超えたことをｅＮＢ２００に報告することにより、最大受信電力差β２−ＲＸを超えないようにｅＮＢ２００がスケジューリングを行うことができる。
【０１３９】
［その他の実施形態］
上述した各実施形態において、電力差情報は、最大電力差β（β１又はβ２）を示す情報に加えて、これと紐付いた(対となる)最大周波数差情報を含んでもよい。最大周波数差情報は、対となる最大電力差βを有効とみなす最大の周波数差を示す情報である。この場合、異なる周波数に割り当てられた無線信号ＳＧ１及びＳＧ２の電力差に加えて、周波数差を評価基準とすることができる。例えば最大周波数差情報が１ＭＨｚを示す場合において、無線信号ＳＧ１及びＳＧ２の周波数差が１ＭＨｚの範囲内であれば、当該最大周波数差情報に対応する最大電力差βによる評価を行う。これに対し、無線信号ＳＧ１及びＳＧ２の周波数差が１ＭＨｚの範囲を超えていれば、当該最大周波数差情報に対応する最大電力差βによる評価を行わない。
【０１４０】
上述した各実施形態では、ＵＥ１００は、セルラ通信における無線信号ＳＧ１及びＤ２Ｄ通信における無線信号ＳＧ２を同時に送信又は受信していた。しかしながら、ＵＥ１００は、Ｄ２Ｄ通信における無線信号ＳＧ１及びＤ２Ｄ通信における無線信号ＳＧ２を同時に送信又は受信してもよい。図１８は、第１実施形態乃至第３実施形態の変更例１を説明するための図である。図１８に示すように、ｅＮＢ２００のセルにＵＥ１００−１乃至ＵＥ１００−３が在圏している。ＵＥ１００−１は、ｅＮＢ２００の制御下で、ＵＥ１００−２及びＵＥ１００−３とのＤ２Ｄ通信を行う。ＵＥ１００−１は、Ｄ２Ｄ通信における無線信号ＳＧ１をＵＥ１００−２に送信するとともに、Ｄ２Ｄ通信における無線信号ＳＧ２をＵＥ１００−３に送信する。ＵＥ１００−３は、無線信号ＳＧ１及び無線信号ＳＧ２を同時に受信する。無線信号ＳＧ１及び無線信号ＳＧ２は、周波数が異なっている。図１８に示す動作環境では、ＵＥ１００−２は、ＵＥ１００−１から遠方に位置する。ＵＥ１００−３は、ＵＥ１００−１の近傍に位置する。よって、ＵＥ１００−１は、高い送信電力で無線信号ＳＧ１を送信し、低い送信電力で無線信号ＳＧ２を送信する。その結果、ＵＥ１００−３は、高い受信電力で無線信号ＳＧ１を受信し、低い受信電力で無線信号ＳＧ２を受信する。このような動作環境に対して、上述した第１実施形態乃至第３実施形態実施形態に係る動作を応用してもよい。
【０１４１】
或いは、ＵＥ１００は、セルラ通信における無線信号ＳＧ１及びセルラ通信における無線信号ＳＧ２を同時に送信又は受信してもよい。図１９は、第１実施形態乃至第３実施形態の変更例２を説明するための図である。図１９に示すように、マクロｅＮＢ（ＭｅＮＢ）２００−１のセル内に、ピコｅＮＢ（ＰｅＮＢ）２００−２が設けられている。ＰｅＮＢ２００−２のセルにＵＥ１００が在圏している。ＵＥ１００は、二重接続により、ＭｅＮＢ２００−１及びＰｅＮＢ２００−２の制御下で、ＭｅＮＢ２００−１及びＰｅＮＢ２００−２とのセルラ通信を行う。ＵＥ１００は、セルラ通信における無線信号ＳＧ１をＭｅＮＢ２００−１に送信するとともに、セルラ通信における無線信号ＳＧ２をＰｅＮＢ２００−２に送信する。ＰｅＮＢ２００−２は、無線信号ＳＧ１及び無線信号ＳＧ２を同時に受信する。無線信号ＳＧ１及び無線信号ＳＧ２は、周波数が異なっている。図１９に示す動作環境では、ＵＥ１００は、ＭｅＮＢ２００−１から遠方に位置するとともに、ＰｅＮＢ２００−２の近傍に位置する。よって、ＵＥ１００は、高い送信電力で無線信号ＳＧ１を送信し、低い送信電力で無線信号ＳＧ２を送信する。その結果、ＰｅＮＢ２００−２は、高い受信電力で無線信号ＳＧ１を受信し、低い受信電力で無線信号ＳＧ２を受信する。このような動作環境に対して、上述した各実施形態に係る動作を応用してもよい。さらには、二重接続に限らず、ＵＥ１００が１つのｅＮＢ２００との接続を確立するケースに、上述した各実施形態に係る動作を応用してもよい。例えば、ＵＥ１００は、キャリアアグリゲーションを利用して、１つのｅＮＢ２００と関連する無線信号ＳＧ１及び無線信号ＳＧ２を同時に送信又は受信する。
【０１４２】
上述した各実施形態では、無線信号ＳＧ１及び無線信号ＳＧ２は、周波数が異なっていた。しかしながら、ＵＥ１００とｅＮＢ２００との間の通信にマルチユーザＭＩＭＯ（ＭＵ−ＭＩＭＯ）が適用される場合において、ｅＮＢ２００に関連する無線信号ＳＧ１及び無線信号ＳＧ２を同時に送信又は受信する動作環境に本発明を応用してもよい。この場合、無線信号ＳＧ１及び無線信号ＳＧ２は、周波数が同じであって、かつ信号系列が異なっていてもよい。さらには、ＭＵ−ＭＩＭＯに限らず、ＳＩＣ（Ｓｕｃｃｅｓｓｉｖｅ  Ｉｎｔｅｒｆｅｒｅｎｃｅ  Ｃａｎｃｅｌｌａｔｉｏｎ）を使った非直交多重通信に、上述した各実施形態に係る動作を応用してもよい。ＳＩＣを使った非直交多重通信では、ｅＮＢ２００は複数のＵＥ１００宛ての無線信号を同じ周波数・時間、かつ異なる送信電力で多重送信する。送信電力が高く設定された無線信号については、ＵＥ１００は、ＳＮＲが所要レベルを満たしており、復調可能である。送信電力が低く設定された無線信号については、ＵＥ１００は、ＳＮＲが所要レベルを満たしておらず、復調が困難であるが、最大電力差βの範囲内であれば、干渉レプリカ信号を生成して干渉をキャンセルすることにより、復調を可能にする。
【０１４３】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１４４】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015023365.tif 000003
【図２】
2015023365.tif 000004
【図３】
2015023365.tif 000005
【図４】
2015023365.tif 000006
【図５】
2015023365.tif 000007
【図６】
2015023365.tif 000008
【図７】
2015023365.tif 000009
【図８】
2015023365.tif 000010
【図９】
2015023365.tif 000011
【図１０】
2015023365.tif 000012
【図１１】
2015023365.tif 000013
【図１２】
2015023365.tif 000014
【図１３】
2015023365.tif 000015
【図１４】
2015023365.tif 000016
【図１５】
2015023365.tif 000017
【図１６】
2015023365.tif 000018
【図１７】
2015023365.tif 000019
【図１８】
2015023365.tif 000020
【図１９】
2015023365.tif 000021